(57)【要約】【課題】回転伝達機構等の内部機構の動作不良を低減し、使用感を向上することができる塗膜転写具を提供する。【解決手段】塗膜転写具１０は、ヘッド部２０を備える。ヘッド部２０には、転写テープ２３の裏面に当接して転写テープＴの転写層を被転写面に転写する転写ローラ２３が設けられる。そして、ヘッド部２０には、転写ローラ２３に付着した転写テープＴの転写層のカスを取るカス取りローラ２４が設けられる。カス取りローラ２４は、転写テープ２３の後方に位置し、転写テープ２３と近接又は接触する位置に配置される。【選択図】    図２
2017149034.tif 000002
【特許請求の範囲】
【請求項１】
ヘッド部と、
前記ヘッド部に回転自在に設けられて転写テープの裏面に当接して前記転写テープの転写層を被転写面に転写する転写ローラと、
前記ヘッド部に回転自在に設けられて前記転写ローラに付着した前記転写テープの転写層のカスを取るカス取りローラと、
を有することを特徴とする塗膜転写具。
【請求項２】
前記カス取りローラは、前記転写ローラに対して近接又は接触して配置されることを特徴とする請求項１に記載の塗膜転写具。
【請求項３】
前記カス取りローラは、前記転写ローラよりも粘着しやすい材質で形成されることを特徴とする請求項１又は請求項２に記載の塗膜転写具。
【請求項４】
前記カス取りローラは硬質プラスチック材料で形成され、前記転写ローラはシリコン材料により形成されることを特徴とする請求項１乃至請求項３の何れか記載の塗膜転写具。
【請求項５】
前記ヘッド部は、第１ヘッド部と第２ヘッド部を備え、
未使用の前記転写テープが巻装される供給ボビンの回転力を使用済みの前記転写テープが巻装される巻取ボビンに伝達する回転伝達機構と、前記転写ローラが設けられる第１ヘッド部と、を備える塗膜転写具本体と、
回転自在に支持される前記供給ボビンと、回転自在に支持される前記巻取ボビンと、前記カス取りローラが設けられる第２ヘッド部と、を備える交換用リフィールと、
を有することを特徴とする請求項１乃至請求項４の何れか記載の塗膜転写具。
【発明の詳細な説明】
【技術分野】
【０００１】
本発明は、転写テープの転写層を被転写面に転写する塗膜転写具に関する。
【背景技術】
【０００２】
従来から、修正テープやテープ糊等に適用される塗膜転写具が提供されている。例えば、特許文献１には、リフィール形式の塗膜転写具が開示されている。この塗膜転写具は、交換用のリフィールと、本体側とされる塗膜転写具本体を備えている。交換用のリフィールは、未使用の転写テープが巻装される供給ボビンと、使用済みの転写テープが巻装される巻取ボビンと、転写テープの転写層を被転写面に転写する転写ローラを有する。塗膜転写具本体には、供給ボビンと巻取ボビンを連動させる複数のギヤ等からなる回転伝達機構を有する。
【先行技術文献】
【特許文献】
【０００３】
【特許文献１】特開２００９−２９０５４号公報
【発明の概要】
【発明が解決しようとする課題】
【０００４】
一般に、塗膜転写具が備える転写テープは、基材に転写層が積層された原反ロールを所定の幅で切断して製造される。従って、転写テープは、転写層が基材の縁にも積層されている。すると、特許文献１で開示される塗膜転写具の使用時に、転写テープが転写ローラにより押圧されて、転写テープの縁から転写層がはみ出して、転写ローラに付着してしまうことがある。転写ローラに付着してしまった転写層のカスは、順次繰り出される転写テープに再度付着する等して、回転伝達機構等の内部機構に付着してしまう場合がある。すると、塗膜転写具の動作不良の原因となることがある。
【０００５】
さらに、転写ローラに付着した転写層のカスが粘着性の高い、例えば糊剤等の場合には、塗膜転写具の使用時に転写ローラの回転に伴って転写面である紙等に触れたり離れたりするので、転写ローラの回転を阻害したり、異音を発生させたりすることがある。さらにまた、転写ローラに付着した転写層のカスが大きくなると、この転写層のカスが転写面に付着してしまうこともある。
【０００６】
本発明の目的は、動作不良を低減し、使用感を向上することができる塗膜転写具を提供する。
【課題を解決するための手段】
【０００７】
本発明の塗膜転写具は、ヘッド部と、前記ヘッド部に回転自在に設けられて転写テープの裏面に当接して前記転写テープの転写層を被転写面に転写する転写ローラと、前記ヘッド部に回転自在に設けられて前記転写ローラに付着した前記転写テープの転写層のカスを取るカス取りローラと、を有する。
【発明の効果】
【０００８】
本発明によれば、転写ローラに付着した転写層のカスをカス取りローラで取ることができるので、転写層のカスに起因する動作不良等の発生を低減することができる。従って、動作不良を低減させて、使用感を向上させた塗膜転写具を提供することができる。
【図面の簡単な説明】
【０００９】
【図１】本発明の実施形態に係る塗膜転写具を示す斜視図であって、（ａ）は前左方向から見た斜視図であり、（ｂ）は右後方向から見た斜視図である。
【図２】本発明の実施形態に係る塗膜転写具本体と交換用リフィールを分離した状態を示す斜視図である。
【図３】本発明の実施形態に係る塗膜転写具を示す側面図である。
【図４】本発明の実施形態に係る塗膜転写具において、交換用リフィールが塗膜転写具本体に装着されたときに第１ヘッド部と第２ヘッド部が組み合わされて形成されたヘッド部を示し、（ａ）は右上前方から見た斜視図であり、（ｂ）は左下前方から見た斜視図である。
【図５】本発明の実施形態に係る塗膜転写具のヘッド部における図４のＶ−Ｖ断面図である。
【図６】本発明の実施形態に係る塗膜転写具のヘッド部における図５のＶＩ−ＶＩ断面図である。
【図７】本発明の実施形態に係る塗膜転写具のカス取りローラの変形例を示す図であり、（ａ）〜（ｃ）はカス取りローラの変形例を示す平面模式図である。
【発明を実施するための形態】
【００１０】
次に、本発明の実施形態について、図に基づいて説明する。図１（ａ），（ｂ）は、塗膜転写具１０の斜視図である。本実施形態に係る塗膜転写具１０は、転写テープＴとして、転写層として糊剤の層を備えて、基材に糊剤の層が積層されるテープ糊をとされている。塗膜転写具１０は、ケース本体５を備える。ケース本体５は、前端部に開口部が形成されている。この開口部からは、ヘッド部２０が突出される。ヘッド部２０は、回転自在に軸支される転写ローラ２３が設けられる。転写ローラ２３は、転写テープＴの裏面に当接して、転写テープＴの転写層（すなわち糊剤の層）を被転写面に転写する。なお、以下の説明においては、ヘッド部２０が備えられる方向を前とし、その反対方向を後とする。また、塗膜転写具１０を後方から前方に向かって見たときの左側を左、右側を右、図１（ａ），（ｂ）の上側を上、下側を下として説明する。
【００１１】
ケース本体５は、側面視において、上側よりも下側が大きく膨らむように、上側及び下側共に凸湾曲に形成されている。そして、ケース本体５の前方側は、側面視においては、後方側よりも窄まるように形成されている。ケース本体５の前方下側には、略平板状のキャップ部材４が回動自在に設けられている。そして、ケース本体５の前側は開口部が形成されて、ヘッド部２０が突出されている。一方、ケース本体５の左側面には、キャップ解除ボタン３１ａが内部から露出して設けられている。キャップ解除ボタン３１ａの前下方側におけるキャップ部材４の回動軸の左端側には、キャップ係止部３１ａ１が形成されている。
【００１２】
キャップ部材４は、図１（ａ）の実線で示される「閉」位置では、キャップ部材４の先端部が転写ローラ２３を覆っている。キャップ部材４が転写ローラ２３を覆っているとき、キャップ解除ボタン３１ａのキャップ係止部３１ａ１はキャップ部材４に設けられるキャップ被係止部４ａと係止され、キャップ部材４の回動が規制されている。そして、キャップ解除ボタン３１ａの「ＰＵＳＨ」と書いてある円形部分を押すと、キャップ被係止部４ａとキャップ係止部３１ａ１との係止状態が解除され、キャップ部材４の回動が解除される。そして、キャップ解除ボタン３１ａの押圧を解除してキャップ部材４を回動し、キャップ部材４が図１（ａ）の二点鎖線で示す「開」位置となると、再度、キャップ被係止部４ａとキャップ係止部３１ａ１が係止されて、キャップ部材４の回動が規制される。この状態で、塗膜転写具１０は使用される。
【００１３】
より詳細には、図２にも示されるように、キャップ係止部３１ａ１は、右方へ突出する突起部を備える。一方、キャップ被係止部４ａは、板状部の先端が折れ曲がるように形成されている。キャップ部材４の「閉」位置では、キャップ被係止部４ａの折れ曲がった内角側とキャップ係止部３１ａ１の突起部が係止される。そして、キャップ解除ボタン３１ａが押されると、この係止が解除される。キャップ解除ボタン３１ａの押圧を解除してキャップ部材４の回動を継続すると、キャップ被係止部４ａの折れ曲がった外角側に沿ってキャップ係止部３１ａ１の突起がキャップ被係止部４ａと係止される。キャップ部材４の「開」位置から「閉」位置への移動は、キャップ部材４を手で回動させて行うことができる。
【００１４】
また、図１（ａ）に示すように、転写ローラ２３の下方前側には、転写時ガイド部材８が設けられている。転写時ガイド部材８は、図１（ｂ）に示す塗膜転写具１０の右側面に露出されるガイド部材出没レバー８ａにより出没可能に形成される。転写時ガイド部材８は、先端部が略Ｌ字状に形成されている。転写時ガイド部材８の先端部は、弾性部８ｂ（図２参照）により弾発されている。この転写時ガイド部材８は、塗膜転写具１０の使用時にケース本体５から突出させる。そして、略Ｌ字状の平板状の先端部を紙等の被転写面の下側に潜り込ませて、塗膜転写具１０を被転写面とされる紙等の縁に沿って移動させながら転写操作を行うことができる。
【００１５】
塗膜転写具１０のケース本体５は、左ケース５１と右ケース５２から形成される。左ケース５１及び右ケース５２は、それぞれ略シェル状に形成されている。左ケース５１と右ケース５２は、後端部においてヒンジ部５ａにより連結されている。図１（ｂ）に示すように、ケース本体５を開くには、先ず、右ケース５２の上側に内部から露出して設けられる開閉操作部９ａを前方側に移動させる。そして、ケース本体５の下面に設けられる係止部５１ａを押圧して右ケース５２との係止を解除すれば、図２に示すように、ケース本体５を開くことができる。
【００１６】
図２は、塗膜転写具本体１００のケース本体５を開いて、交換用リフィール３０を取出した状態を示す斜視図である。なお、図２の以下の説明中、上下及び左右の方向は、図１（ａ），（ｂ）で示す組立状態における上下及び左右方向として説明する。塗膜転写具本体１００の左ケース５１の下側の縁からは、平板状の係止部５１ａが右方側に向けて立設している。そして、右ケース５２の下側の縁には、被係止部５２ａが設けられている。被係止部５２ａは、左ケース５１の係止部５１ａにおける鉤状の先端部が挿入可能な貫通孔とされている。一方、開閉操作部９ａ（図１（ｂ）参照）は、右ケース５２の前上方側に配置される略平板状の開閉部材９に設けられている。開閉部材９は、平坦面を左右方向に向けて前後動自在に設けられる。開閉部材９の左側には、平坦面を上下方向に向けた平板状の係止部９ｂが左方に向けて立設している。係止部９ｂは、開閉操作部９ａがロック状態の場合に、左ケース５１の上縁に設けられる鉤状の被係止部５１ｂに係止される。
【００１７】
また、左ケース５１の上縁には平板状に係合板部５１ｃが左方に向けて立設している。そして、右ケース５２の上縁には、係合凹部５２ｃが形成されている。ケース本体５が閉じられた状態では、左ケース５１の係合板部５１ｃが右ケース５２の係合凹部５２ｃに合わせられて、左ケース５１と右ケース５２は相互に位置決めされる。
【００１８】
右ケース５２（ケース本体５）の内部には、複数のギヤやクラッチ等からなる回転伝達機構６０が設けられている。回転伝達機構６０の各ギヤは、右ケース５２の内面から左方に立設するギヤ支持軸（例えば、ギヤ６１に対応するギヤ支持軸６１ａ）により回転自在に設けられている。回転伝達機構６０により、後述の供給ボビン３２の回転力が巻取ボビン３３に伝達される。
【００１９】
右ケース５２の前端部には、第１ヘッド部２２が設けられている。ここで、以下では図４〜図６を参照するが、図４〜図６は交換用リフィール３０が塗膜転写具本体１００に装着されて第１ヘッド部２２と第２ヘッド部２６が組み合わされてヘッド部２０が形成された場合における、ヘッド部２０と転写ローラ２３及びカス取りローラ２４を示している。
【００２０】
図４（ａ），（ｂ）に示すように、第１ヘッド部２２は、左右の支持板２２ａ，２２ｂが向かい合う平面間に左右板連結部２２ｃが連結されて形成されている。左右板連結部２２ｃは、下側の面が上方に凸とされる縦断面略弧状に空間が形成されている（図５参照）。左右の支持板２２ａ，２２ｂは、前方に向かって窄まるように形成されて、その先端に転写ローラ２３が回転自在に支持されている。図５及び図６に示すように、転写ローラ２３は、樹脂材料により形成される軸部２３ａと、シリコン製のローラ部２３ｂにより形成されている。第１ヘッド部２２の右側の支持板２２ｂの右側面には、ピニオン部２２ｄが形成されている。ピニオン部２２ｄの右側面には、段部２２ｄ１が形成されている。ピニオン部２２ｄの中心には、ピニオン部２２ｄ及び右の支持板２２ｂを貫通する軸受孔２２ｅが形成されている。
【００２１】
図４（ｂ）及び図３にも示すように、右ケース５２の前端近傍上方側の内面からは、左方に向けて支持軸５２ｄが立設される。この支持軸５２ｄは、第１ヘッド部２２の軸受孔２２ｅに挿通される。さらに、図示しないが、支持軸５２ｄの基端部には突起が形成されて、ピニオン部２２ｄの右側面に形成される段部２２ｄ１に当接可能とされている。従って、第１ヘッド部２２は、支持軸５２ｄにより回動自在に片持ち支持されている。また、図２に示されるように、開閉部材９の先端部には、内歯状にラック部９ｃが形成されている。このラック部９ｃは、第１ヘッド部２２のピニオン部２２ｄと歯合している。なお、交換用リフィール３０が塗膜転写具本体１００に取り付けられていない状態では、第１ヘッド部２２の転写ローラ２３が後方側に位置している。
【００２２】
以上説明の通り、示すケース本体５には、回転伝達機構６０と、キャップ部材４と、開閉部材９と、転写時ガイド部材８と、第１ヘッド部２２と、が設けられて、塗膜転写具本体１００が形成されている。
【００２３】
一方、交換用リフィール３０には、略平板状にベースプレート３１が設けられている。ベースプレート３１には、上下２箇所に貫通孔とされる固定部３１ｂ，３１ｃが形成されている。固定部３１ｂ，３１ｃは、交換用リフィール３０が塗膜転写具本体１００に取り付けられる際に、それぞれ右ケース５２の内面から左方に向けて立設する固定軸５２ｅ，５２ｆの先端部分が挿入され、交換用リフィール３０が塗膜転写具本体１００に対して位置決めされる。
【００２４】
ベースプレート３１には、前述のキャップ解除ボタン３１ａが形成されている。キャップ解除ボタン３１ａは、片持ちの板バネ部を有して、キャップ係止部３１ａ１が設けられる端部が弾発可能とされている。
【００２５】
ベースプレート３１の上方側前端部には、第２ヘッド部２６が設けられている。図４（ａ），（ｂ）に示すように、第２ヘッド部２６は、平坦面が向かい合う左右の支持板２６ａ，２６ｂの間に左右板連結部２６ｃが形成されて、左右の支持板２６ａ，２６ｂが連結されている。左右の支持板２６ａ，２６ｂは、後方側が窄まるように形成されている。左右板連結部２６ｃは、後方側が縦断面凸円弧状とされる板状部２６ｃ１が左右方向に複数配置されている。従って、左右板連結部２６ｃの一方の端部側は、上面視櫛歯状とされている。
【００２６】
また、第２ヘッド部２６の左支持板２６ａには、貫通孔とされる軸受孔２６ｄが形成されている。軸受孔２６ｄには、ベースプレート３１の前端部の右側面から右方に立設される支持軸３１ｄ（図２参照）が挿入されて、第２ヘッド部２６は回動自在に片持ち支持される。支持軸３１ｄは、交換用リフィール３０が塗膜転写具本体１００に取り付けられた際に、第１ヘッド部２２を片持ち支持する支持軸５２ｄと同軸となるよう設定されている（図３参照）。なお、交換用リフィール３０が塗膜転写具本体１００に取り付けられていない状態では、第２ヘッド部２６の左右板連結部２６ｃが前側になるよう配置されている。
【００２７】
また、第２ヘッド部２６には、カス取りローラ２４が回転自在に設けられている。図５及び図６に示すように、カス取りローラ２４は、硬質プラスチック材料により形成されている。カス取りローラ２４は、転写ローラ２３の後方に位置している。この位置は、カス取りローラ２４が転写テープＴに対して接触しない位置（すなわち、転写テープＴに対する非接触位置）である。転写ローラ２３とカス取りローラ２４は、間隔Ｓの隙間が形成されるよう近接して配置されている。ここで、本実施形態においては、間隔Ｓは約０．１ｍｍとされている。さらに、カス取りローラ２４は、転写ローラ２３に対して左右方向の中心がオフセットして配置されている。
【００２８】
図２に示すように、ベースプレート３１の前端近傍であって、第２ヘッド部２６の後方には、規制片３１ｅが設けられている。規制片３１ｅは、略平板状に形成され、前後方向の中央がベースプレート３１と接続される。従って、規制片３１ｅは、前後の両端部が、ベースプレート３１との接続部分を中心にして僅かに搖動するよう形成されている。規制片３１ｅの先端部は、交換用リフィール３０が塗膜転写具本体１００に装着されていない状態では、第２ヘッド部２６（具体的には、左支持板２６ａにおいて略凹状に形成される当接部２６ａ１（図４（ｂ）参照））と当接して第２ヘッド部２６の回動を規制している。そして、交換用リフィール３０が塗膜転写具本体１００に装着されて、左ケース５１が閉められると、左ケース５１の内面に突設される解除突起５１ｇが規制片３１ｅの後端の凸部３１ｅ１を押圧して、規制片３１ｅの先端部を上方に移動させる。すると、第２ヘッド部２６の回動規制が解除される。
【００２９】
ベースプレート３１の右側面には、前側に供給ボビン３２が設けられ、後側には巻取ボビン３３が設けられる。供給ボビン３２には、未使用の転写テープＴが巻装されている。供給ボビン３２は、ベースプレート３１に回転自在に片持ち支持されている。供給ボビン３２の左側面には、環状にラチェット歯３２ａが形成されている。一方、図示されないが、ベースプレート３１の右側面には、左右方向に弾発されるラチェット爪が形成されている。このラチェット爪とラチェット歯３２ａにより、供給ボビン３２が転写テープＴの送り方向と逆方向に回転することを防止する、いわゆる逆転防止機構が形成されている。
【００３０】
また、巻取ボビン３３は、使用済みの転写テープＴが巻装される。巻取ボビン３３は、ベースプレート３１の右側面に回転自在に片持ち支持されている。巻取ボビン３３の左側面外周縁には、転写テープＴが何らかの原因で固着して、供給ボビン３２が回転しなくなった場合に強制的に手動で転写テープＴを搬送するための、波形状の把持部３３ａが環状に設けられている。手動による巻取ボビン３３の回転方向は、ベースプレート３１に矢印形状の貫通孔として開けられた矢印３１ｆの方向に回すことができる。なお、巻取ボビン３３の矢印３１ｆの方向に対する反対の方向の回転が、図示しない逆転防止機構により規制されている。
【００３１】
交換用リフィール３０を塗膜転写具本体１００に装着する場合には、供給ボビン３２の回転中心にギヤ６１の軸が挿入されて、ギヤ６１は供給ボビン３２に相対的に固定される。またこのとき、巻取ボビン３３は、右ケース５２の後方内側に形成される支持部５２ｇに支持される。なお、図示しないが、巻取ボビン３３の右側面にはギヤが形成されている。このギヤは、回転伝達機構６０のギヤ６２と歯合される。
【００３２】
また、ベースプレート３１の前側上縁には、右方に向けて平板棒状に延びる糊剤付着片６が設けられている（図１も参照）。糊剤付着片６は、塗膜転写具１０の使用時に、糸引き現象が発生した場合に飛散する転写層（すなわち糊剤）を付着させて、上側のケース本体５の前方開口縁への飛散した転写層の付着を低減させるものである。ここで、糸引き現象とは、転写層の転写が行われて転写ローラ２３の上方を通過した転写テープＴの上面に残存した転写層と、被転写面に転写された転写層との間で転写層が糸のように伸びてしまう現象である。上側のケース本体５の前方開口縁に、転写テープＴから飛散した転写層が付着すると、ケース本体５の内部に飛散した転写層が入り込んでしまうことがあり、この場合には動作不良の原因となることがある。糊剤付着片６は、これを防止するためのものである。
【００３３】
以上の通り、交換用リフィール３０は、ベースプレート３１と、供給ボビン３２と、巻取ボビン３３と、カス取りローラ２４を有する第２ヘッド部２６を備える。そして、塗膜転写具本体１００から取り外されている状態（すなわち、図２の状態）では、交換用リフィール３０の転写テープＴは、第２ヘッド部２６の左右板連結部２６ｃの端部に掛けられている。
【００３４】
交換用リフィール３０を塗膜転写具本体１００に装着して塗膜転写具１０を使用するには、図２の状態から交換用リフィール３０を右ケース５２に装着して左ケース５１を閉じる。そして、開閉部材９の開閉操作部９ａ（図１（ｂ）参照）を後方側へ移動させる。すると、開閉部材９のラック部９ｃも後方へ移動する。ラック部９ｃは、第１ヘッド部２２のピニオン部２２ｄ（図４参照）と歯合しているので、第２ヘッド部２６のピニオン部２２ｄが回動する。このとき、第２ヘッド部２６は、第１ヘッド部２２と組み合わされてヘッド部２０を構成している。従って、ピニオン部２２ｄの回動により、ヘッド部２０は反転する。すると、後方側に位置していた転写ローラ２３が、図３に示すように前方側に配置される。なお、交換用リフィール３０を取出す場合には、開閉操作部９ａを前方に移動させて、ヘッド部２０を反転させる。すると、図２に示すように、ヘッド部２０（第２ヘッド部２６）の左右板連結部２６ｃが前方側に位置して、後方側に転写ローラ２３が位置される。
【００３５】
塗膜転写具１０により転写テープＴの転写層を被転写面に転写するときには、転写ローラ２３をある程度の押圧力で被転写面に押し付けながら移動させる。このとき、図５に示すように、転写テープＴの左右の縁Ｔ１から転写層（本実施形態では糊剤）がはみ出して、転写層のカスとして転写ローラに付着することがある。転写ローラ２３に付着した転写層のカスは、転写ローラ２３が回転すると後側へ回って、転写ローラ２３とカス取りローラ２４との間に位置される。ここで、転写ローラ２３のローラ部２３ｂはシリコン材料から形成され、カス取りローラ２４は硬質プラスチックから形成されるので、転写ローラ２３（ローラ部２３ｂ）よりもカス取りローラ２４の方が硬い材料で形成されている。換言すれば、カス取りローラ２４は、転写ローラ２３（ローラ部２３ｂ）よりも粘着しやすい材質である。従って、転写ローラ２３に付着して転写ローラ２３とカス取りローラ２４との間に位置した転写層のカスは、カス取りローラ２４に移動する。
【００３６】
このようにして、転写ローラ２３に付着した転写層のカスは、順次カス取りローラ２４に移動する。そして、転写ローラ２３（ローラ部２３ｂ）よりも粘着しやすい硬い材質で形成されるカス取りローラ２４に付着した転写層のカスは、カス取りローラ２４に付着すると容易に剥がれることはない。従って、転写済みの転写テープＴに転写層のカスが再度付着する等して回転伝達機構６０等の内部構造に取り込まれ、塗膜転写具１０の動作不良を起こしてしまうことが低減される。
【００３７】
さらに、転写ローラ２３に付着した転写層のカスが、転写ローラ２３の回転に伴って転写面である紙等に触れたり離れたりして異音が発生することもない。さらにまた、転写ローラ２３に付着した転写層のカスが転写ローラ２３の回転を阻害したり、積層された転写層のカスが紙に付着してしまう等が低減される。従って、塗膜転写具１０の使用感を向上させることができる。
【００３８】
また、カス取りローラ２４は、上記の通り、交換用リフィール３０に備えられる第２ヘッド部２６に設けられる。従って、交換用リフィール３０が使い終われば、転写層のカスが付着したカス取りローラ２４は、交換用リフィール３０とともに廃棄することができる。
【００３９】
以上、本発明の実施形態を説明したが、本発明は本実施形態によって限定されることはなく、種々の変更を加えて実施することができる。例えば、本実施形態においては、転写ローラ２３とカス取りローラ２４は近接する位置に配置したが、転写層の種類や転写テープＴの態様によっては、両者が接触する位置に配置する場合もある。
【００４０】
また、カス取りローラ２４の形状は、本実施形態のように略円柱状に形成するだけでなく、例えば図７（ａ）に示すように、軸方向に複数の円板が取り付けられて櫛歯状となるカス取りローラ２４Ａとすることもできる。また、図７（ｂ）に示すように、カス取りローラ２４Ｂの軸方向の表面の形状を波形状とすることもできる。或いは、図７（ｃ）に示すように、カス取りローラ２４Ｃの表面に多数の小突起をランダムに（又は規則的に並べるように）配置することもできる。
【００４１】
また、本実施形態においては、カス取りローラ２４の直径は、転写ローラ２３の直径よりも小さく形成されているが、これに限られず、転写ローラ２３の直径と同等又は転写ローラ２３の直径より大きく形成することもできる。カス取りローラ２４の直径よりも転写ローラ２３の直径を小さく形成した場合には、より多くの転写層のカスをカス取りローラに付着させることができる。反対に、本実施形態のように、カス取りローラ２４の直径を転写ローラ２３の直径よりも小さく形成した場合には、ヘッド部２０をコンパクトに形成することができる。
【００４２】
また、カス取りローラ２４及び転写ローラ２３（ローラ部２３ｂ）は、カス取りローラ２４が転写ローラ２３よりも粘着しやすい材質であれば、その材質は適宜選択することができる。また、本実施形態においては、転写テープＴはテープ糊としたが、修正テープや他の転写層を備える転写テープとすることもできる。
【符号の説明】
【００４３】
４        キャップ部材                ４ａ      キャップ被係止部
５        ケース本体                  ５ａ      ヒンジ部
６        糊剤付着片                  ８        転写時ガイド部材
８ａ      ガイド部材出没レバー        ８ｂ      弾性部
９        開閉部材                    ９ａ      開閉操作部
９ｂ      係止部                      ９ｃ      ラック部
１０      塗膜転写具                  ２０      ヘッド部
２２      第１ヘッド部                ２２ａ    支持板
２２ｂ    支持板                      ２２ｃ    左右板連結部
２２ｄ    ピニオン部                  ２２ｄ１  段部
２２ｅ    軸受孔                      ２３      転写ローラ
２３ａ    軸部                        ２３ｂ    ローラ部
２４      カス取りローラ              ２４Ａ    カス取りローラ
２４Ｂ    カス取りローラ              ２４Ｃ    カス取りローラ
２６      第２ヘッド部                ２６ａ    左支持板
２６ａ    支持板                      ２６ｂ    支持板
２６ｃ    左右板連結部                ２６ｃ１  板状部
２６ｄ    軸受孔                      ３０      交換用リフィール
３１      ベースプレート              ３１ａ    キャップ解除ボタン
３１ａ１  キャップ係止部              ３１ｂ    固定部
３１ｃ    固定部                      ３１ｄ    支持軸
３１ｅ    規制片                      ３１ｅ１  凸部
３１ｆ    矢印                        ３２      供給ボビン
３２ａ    ラチェット歯                ３３      巻取ボビン
３３ａ    把持部                      ５１      左ケース
５１ａ    係止部                      ５１ｂ    被係止部
５１ｃ    係合板部                    ５１ｇ    解除突起
５２      右ケース                    ５２ａ    被係止部
５２ｃ    係合凹部                    ５２ｄ    支持軸
５２ｅ    固定軸                      ５２ｆ    固定軸
５２ｇ    支持部                      ６０      回転伝達機構
６１      ギヤ                        ６１ａ    ギヤ支持軸
６２      ギヤ                        １００    塗膜転写具本体
【図１】
2017149034.tif 000003
【図２】
2017149034.tif 000004
【図３】
2017149034.tif 000005
【図４】
2017149034.tif 000006
【図５】
2017149034.tif 000007
【図６】
2017149034.tif 000008
【図７】
2017149034.tif 000009